【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
第１のチャネルにより無線で呼び出し送信と応答受信を行う移動局と、第２のチャネルによる無線呼び出し信号に応じて情報収集を行い、得られた収集情報を前記第２のチャネルにより無線送信する複数の子局と、前記複数の子局のうち数局ずつとの無線通信が可能な地点に配置され、前記第１のチャネルによる移動局からの無線による呼び出し信号に応じて前記第２のチャネルにより前記数局の子局を無線により呼び出し、前記子局からの応答信号を受信し、得られた前記数局の子局分の収集情報を前記第１のチャネルにより前記移動局へ無線送信する複数の中継局とを有する無線情報収集システム。
【請求項２】
子局において行う情報収集は、あらかじめ所定の期間毎に行い、得られた収集情報を格納しておき、中継局から第２のチャネルによる無線呼び出し信号に応じて、前記格納されている収集情報を前記中継局へ無線送信することを特徴とする請求項１記載の無線情報収集システム。
【請求項３】
中継局から移動局への無線送信された複数の子局分の収集情報の一部に応答漏れや誤りが発見された場合に、前記移動局は第２のチャネルを用いて前記応答漏れや誤りのあった子局に対して無線呼び出しを行い、直接情報収集を行うことを特徴とする請求項１記載の無線情報収集システム。
【請求項４】
各々の子局は間欠動作を行うものであり、中継局において、前記各々の子局における間欠動作のタイミングを補正するための信号を生成して前記子局へ送信する間欠タイミング補正データ生成手段を備え、前記各々の子局において、前記送信された間欠動作タイミング補正信号を受信し、間欠動作のタイミングを補正する間欠タイミング補正受信手段とを備えた請求項１記載の無線情報収集システム。
【請求項５】
中継局に子局と同様の機能を持たせ、中継局においても子局と同様の情報収集を行うことを特徴とする請求項１記載の無線情報収集システム。
【請求項６】
移動局は、中継局への呼び出し信号を生成する中継局呼び出し信号生成手段と、前記中継局への呼び出し信号を、第１のチャネルにより変調して送信する送信手段と、前記中継局からの応答信号を前記第１のチャネルにおいて受信して復調信号を出力する受信手段と、前記復調信号から前記中継局から送信された応答データを抽出して格納する中継局応答データ格納手段とを有し、前記中継局は、前記移動局からの呼び出し信号を前記第１のチャネルにおいて受信して復調信号を出力する受信手段と、前記復調信号から前記移動局からの呼び出し信号を識別した場合に、子局呼び出し命令信号を出力する移動局呼び出し信号識別手段と、定期的に前記子局呼び出し命令信号を出力する子局定期呼び出し手段と、前記子局呼び出し命令信号に応じて、前記中継局の通信可能範囲であるセル内に存在する複数のセル内子局に対する呼び出し信号を生成する子局呼び出し信号生成手段と、前記セル内子局に対する呼び出し信号を第２のチャネルにより変調して送信する送信手段と、前記第２のチャネルにおいて前記子局からの応答信号を受信して復調信号を出力する受信手段と、前記復調信号から前記セル内子局から送信された応答データを抽出して格納し、前記中継局のセル内子局の全てからの前記応答データの格納が終了した後、前記複数の応答データをまとめて、セル内子局データとして出力する子局応答データ格納手段と、前記セル内子局データをもとに、前記移動局への応答データを生成する移動局応答データ生成手段と、前記移動局への応答データを前記第１のチャネルにより変調して送信する送信手段とを有し、前記子局は、前記中継局からの呼び出し信号を前記第２のチャネルにおいて受信して復調信号を出力する受信手段と、前記復調信号から前記中継局からの呼び出し信号を識別した場合に、情報収集命令信号を出力する中継局呼び出し信号識別手段と、前記情報収集命令信号に応じて情報収集を行い、得られた収集情報から前記中継局への応答データを生成する情報収集手段と、前記中継局への応答データを前記第２のチャネルにおいて変調して送信する送信手段とを有する請求項１記載の無線情報収集システム。
【請求項７】
中継局における子局定期呼び出し手段を取り除くか、または移動局に対する受信手段と移動局呼び出し信号識別手段とを取り除いたことを特徴とする請求項６記載の無線情報収集システム。
【請求項８】
子局における情報収集手段として、ある一定期間毎にタイミング信号を出力するタイマと、前記タイミング信号に応じて前記一定期間毎に情報収集を行い、得られた収集情報を格納しておく収集情報格納手段と、中継局呼び出し信号識別手段から情報収集命令信号が出力された場合には、前記収集情報格納手段に格納されている前記収集情報を読み出し、中継局への応答データを生成して送信手段へ供給する中継局応答データ生成手段とを備えたことを特徴とする請求項６記載の無線情報収集システム。
【請求項９】
子局において、情報収集手段から出力される中継局への応答データを送信手段へ供給するタイミングを遅延させる遅延手段を備え、前記遅延手段において遅延させる時間は、中継局のセル内に存在する子局間では相異なる時間に設定することを特徴とする請求項６記載の無線情報収集システム。
【請求項１０】
移動局における送信手段および受信手段として、チャネル切り替え信号に応じてチャネルの切り替えが可能な送信手段および受信手段を備え、中継局応答データ格納手段において抽出された中継局からの応答データ中に、応答漏れや誤りが発見された場合には、中継局呼び出し信号生成手段からの出力を停止させ、前記送信手段と受信手段へ第２のチャネルへのチャネル切り替え信号を供給し、前記応答漏れや誤りのあった子局に対する個別呼び出しデータを前記送信手段へ供給し、前記子局からの応答データが正常に得られたら、前記受信手段と送信手段へ第１のチャネルへのチャネル切り替え信号を供給し、前記中継局呼び出し信号生成手段からの出力を再開させる子局呼び出し制御手段を設けたことを特徴とする請求項６記載の無線情報収集システム。
【請求項１１】
中継局と子局との間の通信チャネルを、セルの隣接する中継局同士では相異なるチャネルに設定することを特徴とする請求項６記載の無線情報収集システム。
【請求項１２】
移動局として請求項６記載の移動局を有し、中継局として、アンテナと、前記アンテナを送信と受信で共用し、前記アンテナにおいて受信した信号を出力する第１のアンテナ共用手段と、チャネル切り替え信号に応じたチャネルにおいて、前記アンテナ共用手段から出力された受信信号を復調して復調信号を出力する受信手段と、前記チャネル切り替え信号に応じたチャネルにおいて入力信号を変調して前記アンテナ共用手段へ供給する送信手段と、前記復調信号から前記受信信号の識別情報を抽出して出力する識別情報抽出手段と、前記復調信号から前記受信信号の応答データ部分を抽出して出力するデータ抽出手段と、前記識別情報から前記受信信号の発信局が移動局であるかセル内子局であるかその他であるかを判定し、前記発信局が前記移動局である場合には、子局呼び出し命令信号を出力し、前記発信局が前記セル内子局である場合には、子局応答データ格納命令信号を出力する発信局判定手段と、前記子局応答データ格納命令信号に応じて、前記データ抽出手段から出力された前記子局の応答データを格納し、前記中継局のセル内子局の全ての応答データが格納された場合、前記セル内子局全ての応答データをセル内子局データとして一データ系列にまとめて出力する子局応答データ格納手段と、前記セル内子局データをもとに、移動局への応答データを生成して出力する移動局応答データ生成手段と、前記子局呼び出し命令信号に応じて、前記中継局のセル内子局に対する呼び出し信号を生成して出力する子局呼び出し信号生成手段と、前記送信手段と前記受信手段のチャネルを切り替えるためのチャネル切り替え信号を出力し、前記移動局への応答データが出力された場合には、第１のチャネルの切り替え信号を出力し、前記セル内子局に対する呼び出し信号が出力された場合には、第２のチャネルの切り替え信号を出力するチャネル切り替え手段とを有し、子局として請求項６記載の子局を有する無線情報収集システム。
【請求項１３】
請求項１２記載の中継局において、発信局判定手段と子局呼び出し信号生成手段と移動局応答データ生成手段の代わりに、あらかじめ定められた期間毎にタイミング信号を出力するタイマと、前記タイマから出力されたタイミング信号に応じて、中継局のセル内に存在する子局に対する呼び出し信号を生成する子局呼び出し信号生成手段と、識別情報抽出手段から出力された識別情報をもとに、受信信号の発信局がセル内に存在する子局である場合には、子局応答データ格納命令信号を子局応答データ格納手段へ供給し、受信信号の発信局が移動局である場合には、移動局への応答命令信号を出力する発信局判定手段と、子局応答データ格納手段から定期的に出力されるセル内子局データを格納しておき、発信局判定手段から移動局への応答命令信号が出力された場合には、セル内子局データをもとに、移動局への応答データを生成して出力する移動局応答データ生成手段とを備えた請求項１２記載の無線情報収集システム。
【請求項１４】
中継局として、請求項６または請求項１２に記載の中継局における受信手段の代わりに、第１のチャネルにおける受信信号のキャリアセンスを行い、キャリア信号が存在すると判定された場合には、キャリアセンス信号を出力するとともに、受信信号の復調を行い、復調結果を出力するキャリアセンス受信手段を備え、また新たに、あらかじめ定められた間欠間隔でタイミング信号を出力するキャリアセンス用タイマと、前記タイミング信号に応じて、あらかじめ定められた間欠動作時間だけ、前記キャリアセンス受信手段に電力を供給して間欠動作を行い、前記間欠動作時間内に前記キャリアセンス信号が出力された場合には、前記間欠動作を解除して受信手段の後段へ電力を供給し、移動局への応答送信が完了すると、前記受信手段の後段への電力の供給を停止し、再び間欠動作を開始する受信電源制御手段とを備えたことを特徴とする請求項６または請求項１２に記載の無線情報収集システム。
【請求項１５】
子局として、請求項６、８、９のいずれかに記載の子局またはこれらの子局における受信手段の代わりに、第２のチャネルにおける受信信号のキャリアセンスを行い、キャリア信号が存在すると判定された場合には、キャリアセンス信号を出力するとともに、受信信号の復調を行い復調結果を出力するキャリアセンス受信手段を設け、また新たに、あらかじめ定められた間欠間隔でタイミング信号を出力するキャリアセンス用タイマと、前記キャリアセンス信号と情報収集命令信号と送信信号の終了タイミングとに応じて、前記キャリアセンス受信手段と中継局呼び出し信号識別手段と情報収集手段と送信手段への電力供給を制御する電力制御手段とを備えたことを特徴とする請求項６、８、９のいずれかに記載の無線情報収集システム。
【請求項１６】
移動局として請求項６記載の移動局を有し、中継局として請求項１２記載の中継局の構成に加えて、子局における間欠間隔よりも長く設定されたタイミング信号を出力するタイマと、前記タイミング信号に応じて子局の間欠タイミングを補正するための間欠タイミング補正データを生成して送信手段へ出力する間欠タイミング補正データ生成手段とを備え、子局として請求項１４記載の子局の構成に加えて、前記中継局のタイマとほぼ同じ周期でタイミング信号を出力するタイマと、キャリアセンス受信手段により得られた間欠タイミング補正データに基づき、キャリアセンス用タイマのタイミング信号を補正する間欠タイミング補正受信手段とを備えた無線情報収集システム。
【請求項１７】
移動局として請求項６記載の移動局を有し、中継局として請求項１４記載の中継局の構成に加えて、子局における間欠間隔よりも長く設定されたタイミング信号を出力するタイマと、前記タイミング信号に応じて子局の間欠タイミングを補正するための間欠タイミング補正データを生成して送信手段へ出力する間欠タイミング補正データ生成手段とを備え、子局として請求項１４記載の子局の構成に加えて、前記中継局のタイマとほぼ同じ周期でタイミング信号を出力するタイマと、キャリアセンス受信手段により得られた間欠タイミング補正データに基づき、キャリアセンス用タイマのタイミング信号を補正する間欠タイミング補正受信手段とを備えた無線情報収集システム。
【請求項１８】
請求項１６または１７記載の子局において、受信手段の代わりに、第１のチャネルにおいて受信して復調を行う別の受信手段を備え、送信手段の代わりに、入力信号を第１のチャネルにおいて変調して送信する別の送信手段を備え、中継局においてチャネル切り替え手段を取り除き、前記中継局と前記子局との間の通信を前記第１のチャネルにより行うことを特徴とする請求項１６または１７記載の無線情報収集システム。
【請求項１９】
移動局として請求項６記載の移動局を有し、中継局は設置せず、子局として請求項６記載の子局を有するとともに、子局のうちの１局を、請求項１２記載の中継局の構成における子局応答データ格納手段の代わりに、情報収集命令信号に応じて情報収集を行い、得られた収集情報を出力する情報収集手段と、子局応答データ格納命令信号に応じて前記情報収集手段へ情報収集命令信号を出力し、得られた収集情報をデータ抽出手段から出力される他の子局からの応答データとともに格納し、セル内の全ての子局のデータの格納が終了すると、セル内子局データとして１データ系列にまとめて出力する子局応答データ格納手段とに置き換えた構成を有する無線情報収集システム。
【請求項２０】
移動局として請求項６記載の移動局を有し、中継局は設置せず、子局として請求項６記載の子局を有するとともに、子局のうちの１局を、請求項１４記載の中継局の構成における子局応答データ格納手段の代わりに、情報収集命令信号に応じて情報収集を行い、得られた収集情報を出力する情報収集手段と、子局応答データ格納命令信号に応じて前記情報収集手段へ情報収集命令信号を出力し、得られた収集情報をデータ抽出手段から出力される他の子局からの応答データとともに格納し、セル内の全ての子局のデータの格納が終了すると、セル内子局データとして１データ系列にまとめて出力する子局応答データ格納手段とに置き換えた構成を有する無線情報収集システム。
【請求項２１】
中継局が間欠動作を行う場合、移動局における中継局呼び出し信号生成手段から出力される中継局への呼び出し信号の時間的長さは、前記中継局の間欠動作間隔以上の長さであることを特徴とする請求項１４または１７記載の無線情報収集システム。
【請求項２２】
子局が間欠動作を行う場合、中継局における子局呼び出し信号生成手段から出力される子局に対する呼び出し信号の時間的長さは、子局の間欠動作間隔以上の長さであることを特徴とする請求項１４、１５、１７、１８または１９のいずれかに記載の無線情報収集システム。
【請求項２３】
中継局は、隣接する中継局のセル外の地点に配置し、移動局は移動しながら、前記複数の中継局の１局ずつと通信を行うことを特徴とする請求項１から２２のいずれかに記載の無線情報収集システム。
【請求項２４】
情報収集用移動局、中継局、子局の無線仕様は特定小電力無線局の規格に準じたものであることを特徴とする請求項１から２２のいずれかに記載の無線情報収集システム。
【請求項２５】
各々の子局における情報収集手段は、電柱の障害情報を収集する電柱障害情報収集手段である請求項１から２２のいずれかに記載の無線情報収集システム。
【請求項２６】
各々の子局における情報収集手段は、家庭における公共料金の検針情報を収集する検針情報手段である請求項１から２２のいずれかに記載の無線情報収集システム。
【請求項２７】
各々の子局における情報収集手段は、自動販売機の販売情報を収集する販売情報収集手段である請求項１から２２のいずれかに記載の無線情報収集システム。
【手続補正２】
【補正対象書類名】明細書
【補正対象項目名】０００７
【補正方法】変更
【補正の内容】
【０００７】
【課題を解決するための手段】
上記目的を達成するために本発明の無線情報収集システムは、第１のチャネルにより無線で呼び出し送信と応答受信を行う移動局と、第２のチャネルによる無線呼び出し信号に応じて情報収集を行い、得られた収集情報を前記第２のチャネルにより無線送信する複数の子局と、複数の子局のうち数局ずつと無線通信が可能な地点に配置され、第１のチャネルによる移動局からの無線による呼び出し信号に応じて第２のチャネルにより数局の子局を無線により呼び出し、子局からの応答信号を受信し、得られた数局の子局分の収集情報を第１のチャネルにより移動局へ無線送信する複数の中継局とを有するものである。これにより、移動局が、エリア内に配置された全ての子局と通信しなくても、全ての子局における情報収集を効率的に行うことができる。


【手続補正３】
【補正対象書類名】明細書
【補正対象項目名】０００８
【補正方法】変更
【補正の内容】
【０００８】
【発明の実施の形態】
本発明の請求項１に記載の発明は、第１のチャネルにより無線で呼び出し送信と応答受信を行う移動局と、第２のチャネルによる無線呼び出し信号に応じて情報収集を行い、得られた収集情報を前記第２のチャネルにより無線送信する複数の子局と、前記複数の子局のうち数局ずつと無線通信が可能な地点に配置され、前記第１のチャネルによる移動局からの無線による呼び出し信号に応じて前記第２のチャネルにより前記数局の子局を無線により呼び出し、前記子局からの応答信号を受信し、得られた前記数局の子局分の収集情報を前記第１のチャネルにより前記移動局へ無線送信する複数の中継局とを有する無線情報収集システムであり、移動局が移動しながら第１のチャネルにより複数の中継局に対して、呼び出し送信と応答受信を繰り返し、各々の中継局は、第１のチャネルにおいて移動局からの呼び出しを感知すると、第２のチャネルにより各々の中継局のセル内に存在する子局に対し、呼び出し送信と応答受信を行い、各々の中継局のセル内に存在する各々の子局は、中継局からの呼び出し送信を感知すると、情報収集を行い、得られた収集情報を第２のチャネルにより中継局へ応答送信し、中継局は、各々の中継局のセル内に存在する子局の全てから送信された収集情報を収集して一つの情報系列にまとめた後、第１のチャネルにより移動局へ送信し、移動局は、第１のチャネルにより複数の中継局から応答送信された情報系列を受信することにより、高速移動しながら効率的にエリア内の全ての子局における収集情報を収集することが可能となる。


【手続補正４】
【補正対象書類名】明細書
【補正対象項目名】０００９
【補正方法】変更
【補正の内容】
【０００９】
本発明の請求項２に記載の発明は、子局において行う情報収集は、あらかじめ所定の期間毎に行い、得られた収集情報を格納しておき、中継局から第２のチャネルによる無線呼び出し信号に応じて、前記格納されている収集情報を前記中継局へ無線送信することを特徴とする請求項１記載の無線情報収集システムであり、移動局が、エリア内に配置された全ての子局と通信しなくても、全ての子局における情報収集を効率的に行うことができる。


【手続補正５】
【補正対象書類名】明細書
【補正対象項目名】００１０
【補正方法】変更
【補正の内容】
【００１０】
本発明の請求項３に記載の発明は、中継局から移動局への無線送信された複数の子局分の収集情報の一部に応答漏れや誤りが発見された場合に、前記移動局は第２のチャネルを用いて前記応答漏れや誤りのあった子局に対して無線呼び出しを行い、直接情報収集を行うことを特徴とする請求項１記載の無線情報収集システムであり、移動局が、エリア内に配置された全ての子局と通信しなくても、全ての子局における情報収集を効率的に行うことができる。
【手続補正６】
【補正対象書類名】明細書
【補正対象項目名】００１１
【補正方法】変更
【補正の内容】
【００１１】
本発明の請求項４に記載の発明は、各々の子局は間欠動作を行うものであり、中継局において、前記各々の子局における間欠動作のタイミングを補正するための信号を生成して前記子局へ送信する間欠タイミング補正データ生成手段を備え、前記各々の子局において、前記送信された間欠動作タイミング補正信号を受信し、間欠動作のタイミングを補正する間欠タイミング補正受信手段とを備えた請求項１記載の無線情報収集システムであり、移動局が、エリア内に配置された全ての子局と通信しなくても、全ての子局における情報収集を効率的に行うことができる。
【手続補正７】
【補正対象書類名】明細書
【補正対象項目名】００１２
【補正方法】変更
【補正の内容】
【００１２】
本発明の請求項５に記載の発明は、中継局に子局と同様の機能を持たせ、中継局においても子局と同様の情報収集を行うことを特徴とする請求項１記載の無線情報収集システムであり、移動局が、エリア内に配置された全ての子局と通信しなくても、全ての子局における情報収集を効率的に行うことができる。
【手続補正８】
【補正対象書類名】明細書
【補正対象項目名】００１３
【補正方法】変更
【補正の内容】
【００１３】
本発明の請求項６に記載の発明は、請求項１記載の無線情報収集システムにおいて、移動局は、中継局への呼び出し信号を生成する中継局呼び出し信号生成手段と、前記中継局への呼び出し信号を、第１のチャネルにより変調して送信する送信手段と、前記中継局からの応答信号を前記第１のチャネルにおいて受信して復調信号を出力する受信手段と、前記復調信号から前記中継局から送信された応答データを抽出して格納する中継局応答データ格納手段とを有し、前記中継局は、前記移動局からの呼び出し信号を前記第１のチャネルにおいて受信して復調信号を出力する受信手段と、前記復調信号から前記移動局からの呼び出し信号を識別した場合に、子局呼び出し命令信号を出力する移動局呼び出し信号識別手段と、定期的に前記子局呼び出し命令信号を出力する子局定期呼び出し手段と、前記子局呼び出し命令信号に応じて、前記中継局の通信可能範囲であるセル内に存在する複数のセル内子局に対する呼び出し信号を生成する子局呼び出し信号生成手段と、前記セル内子局に対する呼び出し信号を第２のチャネルにより変調して送信する送信手段と、前記第２のチャネルにおいて前記子局からの応答信号を受信して復調信号を出力する受信手段と、前記復調信号から前記セル内子局から送信された応答データを抽出して格納し、前記中継局のセル内子局の全てからの前記応答データの格納が終了した後、前記複数の応答データをまとめて、セル内子局データとして出力する子局応答データ格納手段と、前記セル内子局データをもとに、前記移動局への応答データを生成する移動局応答データ生成手段と、前記移動局への応答データを前記第１のチャネルにより変調して送信する送信手段とを有し、前記子局は、前記中継局からの呼び出し信号を前記第２のチャネルにおいて受信して復調信号を出力する受信手段と、前記復調信号から前記中継局からの呼び出し信号を識別した場合に、情報収集命令信号を出力する中継局呼び出し信号識別手段と、前記情報収集命令信号に応じて情報収集を行い、得られた収集情報から前記中継局への応答データを生成する情報収集手段と、前記中継局への応答データを前記第２のチャネルにおいて変調して送信する送信手段とを有するものであり、移動局が、エリア内に配置された全ての子局と通信しなくても、中継局を介して全ての子局における情報収集を効率的に行うことができる。
【手続補正９】
【補正対象書類名】明細書
【補正対象項目名】００１４
【補正方法】変更
【補正の内容】
【００１４】
本発明の請求項７に記載の発明は、請求項６記載の中継局における子局定期呼び出し手段を取り除くか、または移動局に対する受信手段と移動局呼び出し信号識別手段とを取り除いたことを特徴とするものであり、中継局の構成を簡単にすることができる。
【手続補正１０】
【補正対象書類名】明細書
【補正対象項目名】００１５
【補正方法】変更
【補正の内容】
【００１５】
本発明の請求項８に記載の発明は、請求項６記載の子局における情報収集手段として、ある一定期間毎にタイミング信号を出力するタイマと、前記タイミング信号に応じて前記一定期間毎に情報収集を行い、得られた収集情報を格納しておく収集情報格納手段と、中継局呼び出し信号識別手段から情報収集命令信号が出力された場合には、前記収集情報格納手段に格納されている前記収集情報を読み出し、中継局への応答データを生成して送信手段へ供給する中継局応答データ生成手段とを備えたことを特徴とするものであり、子局は、中継局からの呼び出しがあった場合には、予め収集して格納してあった情報を直ちに応答送信することができる。
【手続補正１１】
【補正対象書類名】明細書
【補正対象項目名】００１６
【補正方法】変更
【補正の内容】
【００１６】
本発明の請求項９に記載の発明は、請求項６記載の子局において、情報収集手段から出力される中継局への応答データを送信手段へ供給するタイミングを遅延させる遅延手段を備え、前記遅延手段において遅延させる時間は、中継局のセル内に存在する子局間では相異なる時間に設定することを特徴とするものであり、子局から中継局への応答送信に衝突が生じないようにすることができる。
【手続補正１２】
【補正対象書類名】明細書
【補正対象項目名】００１７
【補正方法】変更
【補正の内容】
【００１７】
本発明の請求項１０に記載の発明は、請求項６記載の移動局における送信手段および受信手段として、チャネル切り替え信号に応じてチャネルの切り替えが可能な送信手段および受信手段を備え、中継局応答データ格納手段において抽出された中継局からの応答データ中に、応答漏れや誤りが発見された場合には、中継局呼び出し信号生成手段からの出力を停止させ、前記送信手段と受信手段へ第２のチャネルへのチャネル切り替え信号を供給し、前記応答漏れや誤りのあった子局に対する個別呼び出しデータを前記送信手段へ供給し、前記子局からの応答データが正常に得られたら、前記受信手段と送信手段へ第１のチャネルへのチャネル切り替え信号を供給し、前記中継局呼び出し信号生成手段からの出力を再開させる子局呼び出し制御手段を設けたことを特徴とするものであり、情報収集漏れを防ぐことができる。
【手続補正１３】
【補正対象書類名】明細書
【補正対象項目名】００１８
【補正方法】変更
【補正の内容】
【００１８】
本発明の請求項１１に記載の発明は、請求項６記載の中継局と子局との間に通信チャネルを、セルの隣接する中継局同士では相異なるチャネルに設定することを特徴とするものであり、中継局のセル境界付近に存在する子局に対して、複数の中継局からの干渉を軽減することができる。
【手続補正１４】
【補正対象書類名】明細書
【補正対象項目名】００１９
【補正方法】変更
【補正の内容】
【００１９】
本発明の請求項１２に記載の発明は、移動局として請求項６記載の移動局を有し、中継局として、アンテナと、前記アンテナを送信と受信で共用し、前記アンテナにおいて受信した信号を出力する第１のアンテナ共用手段と、チャネル切り替え信号に応じたチャネルにおいて、前記アンテナ共用手段から出力された受信信号を復調して復調信号を出力する受信手段と、前記チャネル切り替え信号に応じたチャネルにおいて入力信号を変調して前記アンテナ共用手段へ供給する送信手段と、前記復調信号から前記受信信号の識別情報を抽出して出力する識別情報抽出手段と、前記復調信号から前記受信信号の応答データ部分を抽出して出力するデータ抽出手段と、前記識別情報から前記受信信号の発信局が移動局であるかセル内子局であるかその他であるかを判定し、前記発信局が前記移動局である場合には、子局呼び出し命令信号を出力し、前記発信局が前記セル内子局である場合には、子局応答データ格納命令信号を出力する発信局判定手段と、前記子局応答データ格納命令信号に応じて、前記データ抽出手段から出力された前記子局の応答データを格納し、前記中継局のセル内子局の全ての応答データが格納された場合、前記セル内子局全ての応答データをセル内子局データとして一データ系列にまとめて出力する子局応答データ格納手段と、前記セル内子局データをもとに、移動局への応答データを生成して出力する移動局応答データ生成手段と、前記子局呼び出し命令信号に応じて、前記中継局のセル内子局に対する呼び出し信号を生成して出力する子局呼び出し信号生成手段と、前記送信手段と前記受信手段のチャネルを切り替えるためのチャネル切り替え信号を出力し、前記移動局への応答データが出力された場合には、第１のチャネルの切り替え信号を出力し、前記セル内子局に対する呼び出し信号が出力された場合には、第２のチャネルの切り替え信号を出力するチャネル切り替え手段とを有し、子局として請求項２記載の子局を有するものであり、移動局が、エリア内に配置された全ての子局と通信しなくても、中継局を介して全ての子局における情報収集を簡単な構成で効率的に行うことができる。
【手続補正１５】
【補正対象書類名】明細書
【補正対象項目名】００２０
【補正方法】変更
【補正の内容】
【００２０】
本発明の請求項１３に記載の発明は、請求項１２記載の中継局において、発信局判定手段と子局呼び出し信号生成手段と移動局応答データ生成手段の代わりに、あらかじめ定められた期間毎にタイミング信号を出力するタイマと、前記タイマから出力されたタイミング信号に応じて、中継局のセル内に存在する子局に対する呼び出し信号を生成する子局呼び出し信号生成手段と、識別情報抽出手段から出力された識別情報をもとに、受信信号の発信局がセル内に存在する子局である場合には、子局応答データ格納命令信号を子局応答データ格納手段へ供給し、受信信号の発信局が移動局である場合には、移動局への応答命令信号を出力する発信局判定手段と、子局応答データ格納手段から定期的に出力されるセル内子局データを格納しておき、発信局判定手段から移動局への応答命令信号が出力された場合には、セル内子局データをもとに、移動局への応答データを生成して出力する移動局応答データ生成手段とを備えたものであり、移動局が、エリア内に配置された全ての子局と通信しなくても、中継局を介して全ての子局における情報収集を簡単な構成で効率的に行うことができる。
【手続補正１６】
【補正対象書類名】明細書
【補正対象項目名】００２１
【補正方法】変更
【補正の内容】
【００２１】
本発明の請求項１４に記載の発明は、中継局として、請求項６または請求項１２に記載の中継局における受信手段の代わりに、第１のチャネルにおける受信信号のキャリアセンスを行い、キャリア信号が存在すると判定された場合には、キャリアセンス信号を出力するとともに、受信信号の復調を行い、復調結果を出力するキャリアセンス受信手段を備え、また新たに、あらかじめ定められた間欠間隔でタイミング信号を出力するキャリアセンス用タイマと、前記タイミング信号に応じて、あらかじめ定められた間欠動作時間だけ、前記キャリアセンス受信手段に電力を供給して間欠動作を行い、前記間欠動作時間内に前記キャリアセンス信号が出力された場合には、前記間欠動作を解除して受信手段の後段へ電力を供給し、移動局への応答送信が完了すると、前記受信手段の後段への電力の供給を停止し、再び間欠動作を開始する受信電源制御手段とを備えたものであり、移動局が、エリア内に配置された全ての子局と通信しなくても、中継局を介して全ての子局における情報収集を低消費電力で効率的に行うことができる。
【手続補正１７】
【補正対象書類名】明細書
【補正対象項目名】００２２
【補正方法】変更
【補正の内容】
【００２２】
本発明の請求項１５に記載の発明は、子局として、請求項６、８、９のいずれかに記載の子局またはこれらの子局における受信手段の代わりに、第２のチャネルにおける受信信号のキャリアセンスを行い、キャリア信号が存在すると判定された場合には、キャリアセンス信号を出力するとともに、受信信号の復調を行い復調結果を出力するキャリアセンス受信手段を設け、また新たに、あらかじめ定められた間欠間隔でタイミング信号を出力するキャリアセンス用タイマと、前記キャリアセンス信号と情報収集命令信号と送信信号の終了タイミングとに応じて、前記キャリアセンス受信手段と中継局呼び出し信号識別手段と情報収集手段と送信手段への電力供給を制御する電力制御手段とを備えたものであり、移動局が、エリア内に配置された全ての子局と通信しなくても、中継局を介して全ての子局における情報収集を低消費電力で効率的に行うことができる。
【手続補正１８】
【補正対象書類名】明細書
【補正対象項目名】００２３
【補正方法】変更
【補正の内容】
【００２３】
本発明の請求項１６に記載の発明は、移動局として請求項６記載の移動局を有し、中継局として請求項１２記載の中継局の構成に加えて、子局における間欠間隔よりも長く設定されたタイミング信号を出力するタイマと、前記タイミング信号に応じて子局の間欠タイミングを補正するための間欠タイミング補正データを生成して送信手段へ出力する間欠タイミング補正データ生成手段とを備え、子局として請求項１４記載の子局の構成に加えて、前記中継局のタイマとほぼ同じ周期でタイミング信号を出力する第２のタイマと、キャリアセンス受信手段により得られた間欠タイミング補正データに基づき、キャリアセンス用タイマのタイミング信号を補正する間欠タイミング補正受信手段とを備えたものであり、移動局が、エリア内に配置された全ての子局と通信しなくても、中継局を介して全ての子局における情報収集を中継局と子局との間でタイミングをとって効率的に行うことができる。
【手続補正１９】
【補正対象書類名】明細書
【補正対象項目名】００２４
【補正方法】変更
【補正の内容】
【００２４】
本発明の請求項１７に記載の発明は、移動局として請求項６記載の移動局を有し、中継局として請求項１４記載の中継局の構成に加えて、子局における間欠間隔よりも長く設定されたタイミング信号を出力するタイマと、前記タイミング信号に応じて子局の間欠タイミングを補正するための間欠タイミング補正データを生成して送信手段へ出力する間欠タイミング補正データ生成手段とを備え、子局として請求項１４記載の子局の構成に加えて、前記中継局のタイマとほぼ同じ周期でタイミング信号を出力するタイマと、キャリアセンス受信手段により得られた間欠タイミング補正データに基づき、キャリアセンス用タイマのタイミング信号を補正する間欠タイミング補正受信手段とを備えたものであり、移動局が、エリア内に配置された全ての子局と通信しなくても、中継局を介して全ての子局における情報収集を中継局と子局との間でタイミングをとって低消費電力で効率的に行うことができる。
【手続補正２０】
【補正対象書類名】明細書
【補正対象項目名】００２５
【補正方法】変更
【補正の内容】
【００２５】
本発明の請求項１８に記載の発明は、請求項１６または１７記載の子局において、受信手段の代わりに、第１のチャネルにおいて受信して復調を行う別の受信手段を備え、送信手段の代わりに、入力信号を第１のチャネルにおいて変調して送信する別の送信手段を備え、中継局においてチャネル切り替え手段を取り除き、前記中継局と前記子局との間の通信を前記第１のチャネルにより行うことを特徴とするものであり、移動局が、エリア内に配置された全ての子局と通信しなくても、中継局を介して全ての子局における情報収集を中継局と子局との間でタイミングをとって簡単な構成で効率的に行うことができる。
【手続補正２１】
【補正対象書類名】明細書
【補正対象項目名】００２６
【補正方法】変更
【補正の内容】
【００２６】
本発明の請求項１９に記載の発明は、移動局として請求項６記載の移動局を有し、中継局は設置せず、子局として請求項６記載の子局を有するとともに、子局のうちの１局を、請求項１２記載の中継局の構成における子局応答データ格納手段の代わりに、情報収集命令信号に応じて情報収集を行い、得られた収集情報を出力する情報収集手段と、子局応答データ格納命令信号に応じて前記情報収集手段へ情報収集命令信号を出力し、得られた収集情報をデータ抽出手段から出力される他の子局からの応答データとともに格納し、セル内の全ての子局のデータの格納が終了すると、セル内子局データとして１データ系列にまとめて出力する子局応答データ格納手段とに置き換えた構成を有するものであり、移動局が、エリア内に配置された全ての子局における情報収集を中継局を介さずに効率的に行うことができる。
【手続補正２２】
【補正対象書類名】明細書
【補正対象項目名】００２７
【補正方法】変更
【補正の内容】
【００２７】
本発明の請求項２０に記載の発明は、移動局として請求項６記載の移動局を有し、中継局は設置せず、子局として請求項６記載の子局を有するとともに、子局のうちの１局を、請求項１４記載の中継局の構成における子局応答データ格納手段の代わりに、情報収集命令信号に応じて情報収集を行い、得られた収集情報を出力する情報収集手段と、子局応答データ格納命令信号に応じて前記情報収集手段へ情報収集命令信号を出力し、得られた収集情報をデータ抽出手段から出力される他の子局からの応答データとともに格納し、セル内の全ての子局のデータの格納が終了すると、セル内子局データとして１データ系列にまとめて出力する子局応答データ格納手段とに置き換えた構成を有するものであり、移動局が、エリア内に配置された全ての子局における情報収集を中継局を介さずに効率的に行うことができる。
【手続補正２３】
【補正対象書類名】明細書
【補正対象項目名】００２８
【補正方法】変更
【補正の内容】
【００２８】
本発明の請求項２１に記載の発明は、中継局が間欠動作を行う場合、移動局における中継局呼び出し信号生成手段から出力される中継局への呼び出し信号の時間的長さは、前記中継局の間欠動作間隔以上の長さであることを特徴とする請求項１４または１７記載の無線情報収集システムであり、前記移動局からの１回の呼び出しにより前記移動局の通信可能な範囲内に存在する中継局の間欠動作を解除することができ、情報収集を効率的に行うことができる。
【手続補正２４】
【補正対象書類名】明細書
【補正対象項目名】００２９
【補正方法】変更
【補正の内容】
【００２９】
本発明の請求項２２に記載の発明は、子局が間欠動作を行う場合、中継局における子局呼び出し信号生成手段から出力される子局に対する呼び出し信号の時間的長さは、子局の間欠動作間隔以上の長さであることを特徴とする請求項１４、１５、１７、１８または１９のいずれかに記載の無線情報収集システムであり、前記中継局からの１回の呼び出しにより前記中継局のセル内に存在する全ての子局の間欠動作を解除し、受信モードにすることができ、情報収集を効率的に行うことができる。
さらに、本発明の請求項２３に記載の発明は、中継局が、隣接する中継局のセル外の地点に配置し、移動局は移動しながら、前記複数の中継局の１局ずつと通信を行うことを特徴とする請求項１から２２のいずれかに記載の無線情報収集システムである。
さらに、本発明の請求項２４に記載の発明は、情報収集用移動局、中継局、子局の無線仕様は特定小電力無線局の規格に準じたものであることを特徴とする請求項１から２２のいずれかに記載の無線情報収集システムである。
さらに、本発明の請求項２５に記載の発明は、各々の子局における情報収集手段は、電柱の障害情報を収集する電柱障害情報収集手段である請求項１から２２のいずれかに記載の無線情報収集システムである。
さらに、本発明の請求項２６に記載の発明は、各々の子局における情報収集手段は、家庭における公共料金の検針情報を収集する検針情報手段である請求項１から２２のいずれかに記載の無線情報収集システムである。
さらに、本発明の請求項２７に記載の発明は、各々の子局における情報収集手段は、自動販売機の販売情報を収集する販売情報収集手段である請求項１から２２のいずれかに記載の無線情報収集システムである。
【手続補正２５】
【補正対象書類名】明細書
【補正対象項目名】００４１
【補正方法】変更
【補正の内容】
【００４１】
また、子局１１０  における情報収集手段１１３  の構成として、例えば図４に示す子局２００における情報収集手段１１３のように、ある一定期間毎にタイミング信号を出力するタイマ２０１  と、タイマ２０１  から出力されたタイミング信号に応じて一定期間毎に情報収集を行い、得られた収集情報を格納しておく収集情報格納手段２０２  と、中継局呼び出し信号識別手段１１２  から情報収集命令信号が出力された場合には、収集情報格納手段２０２  に格納されている収集情報を呼び出して中継局１２０  への応答データを生成して送信手段１１４  へ供給する中継局応答データ生成手段２０３  とを設け、子局２００  は、あらかじめ定期的に情報収集を行って収集情報格納手段２０２に収集情報を格納しておき、中継局１２０  から呼び出しがあった場合には、収集情報格納手段２０２に格納しておいた収集情報を直ちに応答送信する構成としてもよい。


【手続補正２６】
【補正対象書類名】図面
【補正対象項目名】図４
【補正方法】変更
【補正の内容】
【図４】
1997284209.tif 000001
【手続補正２７】
【補正対象書類名】図面
【補正対象項目名】図１１
【補正方法】変更
【補正の内容】
【図１１】
1997284209.tif 000002